(57)【特許請求の範囲】
【請求項１】
音楽プレイヤーに接続されるインターフェースケーブルと、
前記インターフェースケーブルにより接続された音楽プレイヤーとデータ通信するハブと、
前記ハブに接続され、前記ハブを介して前記音楽プレイヤーからの音楽データを受信する制御部と、
前記制御部に受信された前記音楽データを音声信号に変換してヘッドホンへ供給する音声制御部と、
前記ハブに接続され、テレビ局の放送を受信する無線通信部と
を有し、
前記無線通信部は、
受信したテレビ放送の受信データを生成し、前記受信データのうちの画像データを前記ハブおよび前記インターフェースケーブルを通じて前記音楽プレイヤーへ供給し、前記受信データのうちの音声データを前記ハブを通じて前記制御部へ供給し、
前記音声制御部は、
前記無線通信部から前記制御部へ供給された前記音声データを音声信号に変換して前記ヘッドホンへ供給する
リモートコントロール装置。
【請求項２】
前記無線通信部は、
前記インターフェースケーブルに組み込まれたアンテナを有する
請求項１記載のリモートコントロール装置。
【請求項３】
前記無線通信部は、
前記インターフェースケーブルおよび前記ハブを通じて前記音楽プレイヤーから供給される電力により動作する
請求項１または２記載のリモートコントロール装置。
【請求項４】
前記インターフェースケーブルは、
ＵＳＢ規格、ＩＥＥＥ１３９４規格、ＰＣカードのインターフェース規格、メモリカードのインターフェース規格によるものである
請求項１から３のいずれか一項記載のリモートコントロール装置。
【発明の詳細な説明】
【技術分野】
【０００１】
本発明は、音楽プレイヤーのリモートコントロール装置に関する。
【背景技術】
【０００２】
メモリやハードディスク装置などの記憶媒体に記録されている音楽データを再生する電子機器は、音楽データを再生する再生部、再生部の制御を行う制御部、種々の操作を行う操作部などが設けられた機器本体と、機器本体にケーブルを介して接続され再生部から出力される音声信号に基づいて音響を出力するヘッドホンとを有している。
このような電子機器として、ラジオ放送局などから送信される放送電波を受信するチューナー部を機器本体に内蔵し、チューナー部によって放送電波から復調された音声信号をヘッドホンに供給し音響を出力するようにしたものが提供されている。
ところが、電子機器は、ノイズ源となる様々な電子回路を備えているため、前記ノイズ源から輻射される電磁波ノイズがチューナー部に影響を及ぼしチューナー部のＣＮ比（carrier noise ratio）を確保する上で不利がある。
そこで、前記チューナー部を、前記ケーブルの中間に設けられ機器本体における種々の動作（再生開始、再生停止、音量調整など）を操作するリモートコントロール装置に内蔵し、チューナー部を機器本体のノイズ源から離間させることによってチューナー部のＣＮ比の向上を図ることが提案されている（特許文献１参照）。
【特許文献１】特開平１１−２３２８５２号公報
【発明の開示】
【発明が解決しようとする課題】
【０００３】
しかしながら、上記従来技術では、チューナー部で受信して生成した信号（音声信号）はヘッドホンに供給されるのみであり、その信号を機器本体に供給して利用することまでは考えられていなかった。
受信して生成した信号を機器本体で利用することを想定すると、リモートコントロール装置と機器本体の間で前記信号を伝達するための新たな専用インターフェース、具体的には信号伝達用の配線部材やコネクタなどのハードウェアや、前記信号の伝達を行うための制御部用のソフトウェアなどが必要となることから、コストがかかることが懸念される。
また、前記のリモートコントロール装置は電子機器毎に専用に設計されたものとならざるを得ないため、種々の電子機器に接続して使用することはできず汎用性に欠けるものとなる。
本発明はこのような事情に鑑みなされたもので、その目的は、無線通信部のＣＮ比を確保しつつ、コストを抑制でき汎用性に優れた音楽プレイヤーのリモートコントロール装置を提供することにある。
【課題を解決するための手段】
【０００４】
上述の目的を達成するため、本発明のリモートコントロール装置は、音楽プレイヤーに接続されるインターフェースケーブルと、前記インターフェースケーブルにより接続された音楽プレイヤーとデータ通信するハブと、前記ハブに接続され、前記ハブを介して前記音楽プレイヤーからの音楽データを受信する制御部と、前記制御部に受信された前記音楽データを音声信号に変換してヘッドホンへ供給する音声制御部と、前記ハブに接続され、テレビ局の放送を受信する無線通信部とを有し、前記無線通信部は、受信したテレビ放送の受信データを生成し、前記受信データのうちの画像データを前記ハブおよび前記インターフェースケーブルを通じて前記音楽プレイヤーへ供給し、前記受信データのうちの音声データを前記ハブを通じて前記制御部へ供給し、前記音声制御部は、前記無線通信部から前記制御部へ供給された前記音声データを音声信号に変換して前記ヘッドホンへ供給する。
【発明の効果】
【０００５】
本発明によれば、無線通信部が音楽プレイヤーの内部ではなく音楽プレイヤーから離れた箇所であるリモートコントロール装置に組み込まれているため、音楽プレイヤーのノイズ源からのノイズが無線通信部に及ぼす影響を軽減することができ、したがって、無線通信部の受信感度を向上させＣＮ比を確保する上で極めて有利となる。
また、本発明によれば、汎用のインターフェース規格に基づいたインターフェースケーブルを介して通信データおよび制御データを伝達できるため、専用のハードウェアやソフトウェアが不要となりコストを抑制する上で有利であり、リモートコントロール装置は汎用のインターフェース規格の音楽プレイヤーであれば接続することができるため汎用性を確保でき有利となる。
【発明を実施するための最良の形態】
【０００６】
（第１の実施の形態）
次に本発明の実施の形態について図面を参照して説明する。
図１はパーソナルコンピュータ１０とマウス４０とが接続された状態を示す説明図、図２はパーソナルコンピュータ１０とマウス４０の構成を示すブロック図、図３はマウス４０の構成を示すブロック図である。
本実施の形態では電子機器はノート型のパーソナルコンピュータ１０であり、周辺機器はパーソナルコンピュータ１０を操作するマウス４０である。
まずパーソナルコンピュータ１０について説明する。
図１に示すように、パーソナルコンピュータ１０はケース１２を有し、ケース１２は第１のケース１２Ａと、第１のケース１２Ａの一側にヒンジを介して連結された第２のケース１２Ｂとを備え、ケース１２は、第１のケース１２Ａと第２のケース１２Ｂが閉じられた閉状態と、第１のケース１２Ａと第２のケース１２Ｂが図１に示すように開かれた開状態との間で開閉される。
第１のケース１２Ａが第２のケース１２Ｂに臨む内面には、キーボード１４やタッチパッド１６、音響を発生するためのスピーカー１８が設けられている。
第２のケース１２Ｂが第１のケース１２Ａに臨む内面には、液晶表示装置などからなるディスプレイ２０が設けられている。
第１のケース１２Ａの一側面には、インターフェースコネクタ２２が設けられている。
【０００７】
図２に示すように、ケース１２の内部には、音声制御部２４、画像制御部２６、ハードディスク装置２８、メモリ３０、インターフェース部３２、メイン制御部３４が設けられている。
音声制御部２４は、メイン制御部３４から供給される音声データに基づいて音声信号を生成しスピーカー１８に供給することによりスピーカー１８から音響を発生させるものである。
画像制御部２６は、メイン制御部３４から供給される画像データに基づいて画像信号を生成しディスプレイ２０に供給することによりディスプレイ２０に画像を表示させるものである。
ハードディスク装置２８は、種々のデータやプログラムを記憶するものである。
メモリ３０は、作業領域を提供するＲＡＭおよび種々のデータが保持されるＲＯＭを有している。
インターフェース部３２は、インターフェースコネクタ２２を介してマウス４０に接続され、データの授受を司るものである。
本実施の形態では、インターフェース部３２は、汎用インターフェース規格（標準周辺インターフェース）であるＵＳＢ（Universal Serial Bus）規格に基づいてデータの授受を行なう。
【０００８】
メイン制御部３４はハードディスク装置２８からＲＡＭに展開されたプログラムに基づいて動作するＣＰＵを含み、キーボード１４、ハードディスク装置２８、メモリ３０、音声制御部２４、画像制御部２６、インターフェース部３２の制御を司るものである。
また、ハードディスク装置２８には、予めテレビ視聴用のアプリケーションソフト、および、マウス４０を使用するためのドライバソフトがインストールされている。
メイン制御部３４は前記アプリケーションソフトを実行することにより、マウス４０に組み込まれている無線通信部５２から送出される通信データ（特許請求の範囲の第２のデータに相当）に基づいてディスプレイ２０に画像を表示させるとともに、前記通信データに基づいてスピーカー１８から音響を発生させる。また、キーボード１４あるいはマウス４０の操作に基づいて無線通信部５２に対してテレビ局の選局などを行わせる制御データ（特許請求の範囲の第２のデータに相当）を無線通信部５２に供給する。
【０００９】
次にマウス４０について説明する。
図１に示すように、マウス４０はケース４２を有し、ケース４２にはインターフェースケーブル４４の一端が接続されている。インターフェースケーブル４４の他端にはＵＳＢ規格のインターフェースコネクタ４６が設けられ、このインターフェースコネクタ４６はパーソナルコンピュータ１０のインターフェースコネクタ２２に装脱可能に構成されている。
図１に示すように、マウス４０は、ケース４２の表面に設けられたクリック用のボタン４２Ａやホイール４２Ｂからなる操作部、ケース４２が載置面に臨む箇所に設けられ移動距離や移動方向を検出する不図示の検出機構などを有している。
また、図２に示すように、マウス４０のケース４２には、本体部４８、ハブ５０、無線通信部５２などが組み込まれている。
本体部４８は、前記操作部および検出機構によって生成された操作データ（特許請求の範囲の第１のデータに相当）をＵＳＢ規格に基づいた信号として生成しハブ５０を介してパーソナルコンピュータ１０に供給するものである。
ハブ５０は、インターフェースケーブル４４の他端が接続され、複数のＵＳＢ規格の信号を中継するものである。
【００１０】
無線通信部５２は、外部との間で無線通信を行い前記無線通信にまつわる第２のデータをインターフェースケーブル４４を介して汎用のインターフェース規格に基づいてパーソナルコンピュータ１０との間で授受するものである。
本実施の形態では、図３に示すように、無線通信部５２は、地上デジタル放送における１セグ放送の放送電波を受信するチューナーとして構成されている。
無線通信部５２は、アンテナ５２Ａ、フィルタ５２Ｂ、ＲＦ回路５２Ｃ、復調回路５２Ｄ、インターフェース部５４を備えている。
アンテナ５２Ａは、地上デジタル放送の周波数帯域の電波を受信するものであり、例えば、チップアンテナとしてマウス４０のケース４２内部に組み込まれている。
フィルタ５２Ｂは、アンテナ５２Ａで受信された電波から地上デジタル放送の帯域の電波を抽出し受信信号として出力するものである。
ＲＦ回路５２Ｃは、フィルタ５２Ｂから供給される受信信号、すなわち、ＯＦＤＭ（直交周波数分割多重）方式によって変調されている受信信号を直交復調し、中間周波数（Ｌｏｗ−ＩＦ）に変換して出力するものであり、従来公知の回路によって実現される。
復調回路５２Ｄは、前記中間周波数に変換された受信信号を復調し画像データと音声データが含まれたＭＰＥＧ２形式のデータ（特許請求の範囲の第２のデータに相当）、すなわち通信データをトランスポートストリームの形式で出力するものである。
インターフェース部５４は、復調回路５２Ｄから供給された前記データを、ＵＳＢ規格に基づいた信号に変換しハブ５０に供給する。
ハブ５０に供給された通信データはインターフェースケーブル４４を介してパーソナルコンピュータ１０に供給される。
また、インターフェース部５４は、パーソナルコンピュータ１０からインターフェースケーブル４４、ハブ５０を介して供給される前記制御データをＲＦ回路５２に供給することでＲＦ回路５２によって選局動作などを行わせる。
なお、無線通信部５２は、パーソナルコンピュータ１０からインターフェースケーブル４４、ＵＳＢハブ５０を介していわゆるバスパワー（電力）が供給されることで動作する。あるいは、マウス４０内部にバッテリーを設け、該バッテリーから無線通信部５２に電力を供給するようにしてもよい。
【００１１】
次に動作について説明する。
マウス４０を通常のマウスとして使用する場合は、図１に示すように、パーソナルコンピュータ１０のインターフェースコネクタ２２にマウス４０のインターフェースコネクタ４６を接続する。
パーソナルコンピュータ１０では、任意のアプリケーションソフトが起動されている。
その状態で、マウス４０を通常のマウスと同様に載置面の上で動かすことで、マウス４０からパーソナルコンピュータ１０に前記の操作データが供給され、ディスプレイ２０上に表示されるカーソルを移動させたり、クリック用のボタン４２Ａやホイール４２Ｂを操作することで所定の操作を行うことができる。
【００１２】
マウス４０をテレビチューナーとして使用する場合も、パーソナルコンピュータ１０のインターフェースコネクタ２２にマウス４０のインターフェースコネクタ４６を接続する。
パーソナルコンピュータ１０では、テレビ視聴用のアプリケーションソフトが起動されている。
その状態で、ユーザーは、パーソナルコンピュータ１０のキーボード１４、あるいは、マウス４０を操作することで無線通信部５２に制御データを供給し、所望のテレビ局を選局する。
無線通信部５２は受信した放送電波に基づいて受信データを生成し、インターフェースケーブル４４を介してパーソナルコンピュータ１０に供給する。
パーソナルコンピュータ１０のメイン制御部３４は、インターフェースケーブル４４、インターフェース部３２を介して供給された前記受信データを音声制御部２４、画像制御部２６に供給する。
音声制御部２４は受信データに基づいて音声信号を生成しスピーカー１８に供給し、これによりテレビ放送の音響が出力される。
画像制御部２６は受信データに基づいて画像信号を生成しディスプレイ２０に供給し、これによりテレビ放送の画像が表示される。
【００１３】
ここで、パーソナルコンピュータ１０を構成する音声制御部２４、画像制御部２６、インターフェース部３２、メイン制御部３４は、ＣＰＵやＬＳＩを含んでいるためノイズが発生する。
ＣＰＵを動作させるためのクロック信号やＵＳＢによるデータ通信を行うためのバスクロック信号はノイズとなりやすく、クロック信号自体、あるいは、それらクロック信号のてい倍波、あるいは、クロック信号とてい倍波が混合されたものなどによってノイズが発生する。また、波形が急峻なクロック信号は広帯域のノイズが発生する。
しかしながら、本実施の形態のマウス４０では、無線通信部５２がパーソナルコンピュータ１０の内部ではなく、パーソナルコンピュータ１０から離れた箇所であるケース４２に組み込まれているため、パーソナルコンピュータ１０のノイズが無線通信部５２に及ぼす影響を軽減することができ、したがって、無線通信部５２の受信感度を向上させＣＮ比を確保する上で極めて有利となり、良好な音質および画質のテレビジョン放送を視聴することができる。
また、本実施の形態のマウス４０は、汎用のインターフェース規格に基づいたインターフェースケーブル４４を介して通信データおよび制御データを伝達できるため、専用のハードウェアやソフトウェアが不要となりコストを抑制する上で有利であり、マウス４０は汎用のインターフェース規格の電子機器であれば接続することができるため汎用性を確保でき有利となる。
また、インターフェースケーブル４４は、特殊な信号を伝達する必要がなく、汎用のインターフェース規格に準拠した汎用のものを使用できコストを削減する上で有利となる。また、ハブ５０も市販されている汎用のハブを用いることができコストを削減する上で有利となる。
【００１４】
（第２の実施の形態）
次に第２の実施の形態について説明する。
第２の実施の形態は、電子機器が音楽プレイヤー６０であり、周辺機器がリモートコントロール装置８０である点が第１の実施の形態と異なっている。
図４は音楽プレイヤー６０とリモートコントロール装置８０が接続された状態を示す説明図、図５は音楽プレイヤー６０の構成を示すブロック図である。
なお、以下の実施の形態において、第１の実施の形態と同一または同様の箇所、部材には同一の符号を付して説明する。
まず音楽プレイヤー６０について説明する。
図４に示すように、音楽プレイヤー６０はケース６２を有し、ケース６２の操作面には、画像表示が可能な液晶表示装置などからなるディスプレイ６４と、選曲、再生、停止、早送り、巻き戻し、一時停止などの種々の操作を行うための操作ボタン６６が設けられている。
ケース６２の一側面には、インターフェースコネクタ２２（図５参照）が設けられている。
【００１５】
図５に示すように、ケース６２の内部には、インターフェース部３２、画像制御部６８、メモリ７０、ハードディスク装置７２、メイン制御部７６が設けられている。
画像制御部６８は、メイン制御部７６から供給される画像データに基づいて画像信号を生成しディスプレイ６４に供給することによりディスプレイ６４に画像を表示させるものである。
メモリ７０は、作業領域を提供するＲＡＭと、種々のデータ、制御プログラム、テレビ視聴用のアプリケーションソフトなどが保持されるＲＯＭを有している。
ハードディスク装置７２は、音楽コンテンツを構成する音楽データ、音楽データに関連付けられた付加データ（例えば、曲名やアーティスト名などの文字データ）を含む種々のデータが保持されている。
インターフェース部３２は、第１の実施の形態と同様にＵＳＢ規格に基づいてデータの授受を行なうものであり、インターフェースコネクタ２２を介してリモートコントロール装置８０に接続され、データの授受を司るものである。
【００１６】
メイン制御部７６はメモリ７０のＲＯＭのプログラムに基づいて動作するＣＰＵを含み、操作部６６、画像制御部６８、メモリ７０、ハードディスク装置７２、インターフェース部３２の制御を司るものである。
メイン制御部７６はメモリ７０のＲＯＭのプログラムを実行することにより、ハードディスク装置７２に保持されている音楽データ（特許請求の範囲の第１のデータに相当）と付加データ（特許請求の範囲の第１のデータに相当）をインターフェース部３２、インターフェースコネクタ２２、インターフェースケーブル４４を介してリモートコントロール装置８０に供給する。
また、メイン制御部７６は、リモートコントロール装置８０の操作部８６からインターフェースケーブル４４、インターフェースコネクタ２２、インターフェース部３２を介して供給される制御データ（特許請求の範囲の第１のデータに相当）に基づいて各部の動作を制御する。
また、メイン制御部７６は、リモートコントロール装置８０に組み込まれている無線通信部５２からインターフェースケーブル４４、インターフェースコネクタ２２、インターフェース部３２を介して供給される通信データ（特許請求の範囲の第２のデータに相当）に基づいてディスプレイ６４に画像を表示させる。
【００１７】
次にリモートコントロール装置８０について説明する。
図４に示すように、本実施の形態では、リモートコントロール装置８０は音楽プレイヤー６０の操作を行うものである。
リモートコントロール装置８０はケース８２を有し、ケース８２にはインターフェースケーブル４４の一端が接続されている。インターフェースケーブル４４の他端には音楽プレイヤー６０のインターフェースコネクタ２２に装脱可能なＵＳＢ規格のインターフェースコネクタ４６が設けられている。
ケース８２にはヘッドホン９４のプラグ９６が接続されるコネクタ９８が設けられている。
【００１８】
図４に示すように、リモートコントロール装置８０は、ケース８２の表面に設けられた液晶表示装置などからなるディスプレイ８４と、選曲、再生、停止、早送り、巻き戻し、一時停止などの種々の操作を行うための操作ボタン８６が設けられている。
また、図５に示すように、リモートコントロール装置８０のケース８２には、表示制御部８８、音声制御部９０、制御部９２、ハブ５０、無線通信部５２が組み込まれている。
表示制御部８８は制御部９２から供給される付加データに含まれる前記文字データをディスプレイ８４に供給するものである。
音声制御部９０は制御部９２から供給される音楽データあるいは音声データを音声信号に変換しコネクタ９８、プラグ９６を介してヘッドホン９４に供給して音響を発生させるものである。
制御部９２は、操作部８６、表示制御部８８、音声制御部９０の制御を司るものである。
また、制御部９２は、音楽プレイヤー６０からインターフェースケーブル４４を介してＵＳＢ規格の信号として供給される音楽データ（特許請求の範囲の第１のデータに相当）および付加データ（特許請求の範囲の第１のデータに相当）をハブ５０を介して受信し、音楽データを音声制御部９０に供給し、付加データを表示制御部８８に供給する。
また、制御部９２は、操作部８６によって生成された操作データ（特許請求の範囲の第１のデータに相当）をＵＳＢ規格に基づいた信号として生成しハブ５０を介して音楽プレイヤー６０に供給し、
ハブ５０は、第１の実施の形態と同様に、インターフェースケーブル４４の他端が接続され、複数のＵＳＢ規格の信号を中継するものである。
なお、第２の実施の形態においては、ディスプレイ８４、操作部８６、表示制御部８８、音声制御部９０、制御部９２によって特許請求の範囲の本体部が構成されている。
【００１９】
無線通信部５２は、第１の実施の形態とほぼ同様に構成されている。
なお、無線通信部５２の選局動作は、制御部９２が操作部８６の操作に基づいて制御データを生成しＲＦ回路５２Ｃに供給することで行われる。
また、無線通信部５２は、音楽プレイヤー６０からインターフェースケーブル４４、ＵＳＢハブ５０を介していわゆるバスパワー（電力）が供給されることで動作する。あるいは、リモートコントロール装置８０内部にバッテリーを設け、該バッテリーから無線通信部５２に電力を供給するようにしてもよい。
【００２０】
次に動作について説明する。
リモートコントロール装置８０を通常のリモートコントロール装置として使用する場合は、図４に示すように、音楽プレイヤー６０のインターフェースコネクタ２２にリモートコントロール装置８０のインターフェースコネクタ４６を接続する。
音楽プレイヤー６０では制御プログラムが起動されている。
その状態で、リモートコントロール装置８０を操作することで、リモートコントロール装置８０から音楽プレイヤー６０に前記の操作データが供給され、音楽コンテンツの再生を行うことができる。
【００２１】
リモートコントロール装置８０をテレビチューナーとして使用する場合も、音楽プレイヤー６０のインターフェースコネクタ２２にリモートコントロール装置８０のインターフェースコネクタ４６を接続する。
音楽プレイヤー６０では、テレビ視聴用のアプリケーションソフトが起動されている。
その状態で、ユーザーは、リモートコントロール装置８０の操作部８６を操作することで無線通信部５２に制御データを供給し、所望のテレビ局を選局する。
無線通信部５２は受信した放送電波に基づいて受信データを生成し、受信データのうち画像データをインターフェースケーブル４４を介して音楽プレイヤー６０に供給し、受信データのうち音声データを制御部９２に供給する。
音楽プレイヤー６０のメイン制御部７６は、インターフェースケーブル４４、インターフェース部３２を介して供給された前記画像データを画像制御部６８に供給する。
画像制御部６８は画像データに基づいて画像信号を生成しディスプレイ６４に供給し、これによりテレビ放送の画像が表示される。
一方、リモートコントロール装置８０の音声制御部９０は音声データに基づいて音声信号を生成しヘッドホン９４に供給し、これによりテレビ放送の音響が出力される。
【００２２】
ここで、音楽プレイヤー６０を構成する画像制御部６８、インターフェース部３２、メイン制御部７６は、ＣＰＵやＬＳＩを含んでいるため第１の実施の形態の場合と同様にノイズが発生する。
しかしながら、第１の実施の形態の場合と同様に、第２の実施の形態のリモートコントロール装置８０においても、無線通信部５２が音楽プレイヤー６０の内部ではなく音楽プレイヤー６０から離れた箇所であるケース８２に組み込まれているため、音楽プレイヤー６０で発生するノイズが無線通信部５２に及ぼす影響を軽減でき、無線通信部５２のＣＮ比を確保する上で極めて有利となり、良好な音質および画質のテレビジョン放送を視聴することができる。
また、第１の実施の形態と同様に、汎用のインターフェース規格に基づいたインターフェースケーブル４４を介して通信データおよび制御データを伝達できるため、専用のハードウェアやソフトウェアが不要となりコストを抑制する上で有利であり、リモートコントロール装置８０は汎用のインターフェース規格の電子機器であれば接続することができるため汎用性を確保でき有利となる。
【００２３】
なお、実施の形態では、汎用インターフェース規格としてＵＳＢを用いた場合について説明したが、汎用インターフェースはＵＳＢに限定されるものではなく、例えば、デジタルビデオカメラやデジタルビデオレコーダの標準インターフェース規格であるＩＥＥＥ１３９４、あるいは、ＰＣカードの標準インターフェース規格、あるいは、種々のメモリカードの標準インターフェース規格であってもよく、要は、標準化されたインターフェース規格であればよい。
【００２４】
また、実施の形態では、無線通信部５２のアンテナ５２Ａがリモートコントロール装置８０のケース８２内部に組み込まれている場合について説明したが、アンテナ５２Ａをインターフェースケーブル４４に組み込むようにしてもよい。すなわち、インターフェースケーブル４４の延在方向に沿ってインターフェースケーブル４４の外皮（絶縁体）の内側に線状のアンテナ導線を組み込み、アンテナの端部をフィルタ５２Ｂに接続してもよい。この場合には、アンテナのエレメント長をインターフェースケーブル４４の長さと同じ寸法まで確保することができるため、テレビ放送、ラジオ放送に使用される波長が長いＶＨＦ帯やＵＨＦ帯の電波受信に際し、感度およびＣＮ比の向上を図る上でより有利となる。
また、アンテナとして、周辺機器のケースに組み込んだチップアンテナとインターフェースケーブルに組み込んだアンテナの双方を設け、無線通信部５２によってこれら２つのアンテナを切り換えることにより、いわゆるダイバーシティ受信を行なうようにすれば、受信感度およびＣＮ比の向上を図る上でさらに有利となる。
【００２５】
また、実施の形態では、周辺機器がパーソナルコンピュータ１０に接続されるマウス４０、および、音楽プレイヤー６０に接続されるリモートコントロール装置８０である場合について説明したが、本発明は、汎用のインターフェース規格に基づいてデータの授受を行なう電子機器に接続される周辺機器に広く適用可能である。
電子機器としては、ＰＤＡ（Personal Digital Assistant）、デジタルスチルカメラ、ビデオカメラ、携帯電話機などが考えられ、周辺機器としてはこれら電子機器のリモートコントロール装置やアクセサリー、アダプタなどが考えられる。
また、実施の形態では、無線通信部がテレビ放送を受信するチューナーである場合について説明したが、無線通信部はこれに限定されるものではない。例えば、無線通信部が音声データのみのラジオ放送を受信するものであってもよい。また、無線通信部は受信のみではなく、送信のみを行なうものであってもよいし、あるいは、送受信の双方を行なうもの、例えば、無線ＬＡＮ、無線ＰＡＮ、無線ＭＡＮ、無線ＷＡＮの何れかを構築するものであってもよい。
【図面の簡単な説明】
【００２６】
【図１】パーソナルコンピュータ１０とマウス４０とが接続された状態を示す説明図である。
【図２】パーソナルコンピュータ１０とマウス４０の構成を示すブロック図である。
【図３】マウス４０の構成を示すブロック図である。
【図４】音楽プレイヤー６０とリモートコントロール装置８０が接続された状態を示す説明図である。
【図５】音楽プレイヤー６０の構成を示すブロック図である。
【符号の説明】
【００２７】
１０……パーソナルコンピュータ、４０……マウス、４２……ケース、４４……インターフェースケーブル、５２……無線通信部。
【図１】
0004747887.tif 000002
【図２】
0004747887.tif 000003
【図３】
0004747887.tif 000004
【図４】
0004747887.tif 000005
【図５】
0004747887.tif 000006